(57)【要約】　　　（修正有）【課題】軸回転サッシの閉止状態を確実に維持し、該サッシの運搬、取扱いに好適な閉止具を提供する。【解決手段】サッシ枠３に開閉方向に回転自在に組付けた障子框体１の構成框１ａを、仲介片５の両端に相対設した挟持片６，７間に係合して該構成框１ａに組付ける主体枠２と、前記サッシ枠３の構成枠３ａに設けた戸当り片１９に前記障子框体１の開放方向に引っ掛ける係止片１５を一端に設けた組付片１１の他の一端に前記係止片１５と相対する操作片１６を設けた閉止枠４とで構成する。そして、前記組付片１１を前記一方の挟持片６の外側面に、前記係止片１５が前記戸当り片１９の先端１９ａを係離する方向に摺嵌して前記主体枠２と閉止枠４を互いに組付ける。また、組付片１１には前記係止片１５を戸当り片１９に引っ掛けたとき、前記一方の挟持片６に螺合する締付ねじを螺合する。【選択図】　図１
2004011242.tif 000002
【特許請求の範囲】
【請求項１】
サッシ枠に開閉方向に回転自在に組付けた障子框体の構成框を、仲介片の両端に相対設した挟持片間に係合して該構成框に組付ける主体枠と、前記サッシ枠の構成枠に設けた戸当り片に前記障子框体の開放方向に引っ掛ける係止片を一端に設けた組付片の他の一端に前記係止片と相対する操作片を設けた閉止枠とで成り、前記組付片を前記一方の挟持片の外側面に、前記係止片が前記戸当り片の先端を係離する方向に摺嵌して前記主体枠と前記閉止枠を互いに組付けると共に、前記組付片には前記係止片を前記戸当り片に引っ掛けたとき、前記一方の挟持片に螺合する締付ねじを螺合した、軸回転サッシの障子框体の閉止具。
【請求項２】
主体枠の一方の挟持片の外側面に、サッシ枠の構成枠に設けた戸当り片の内端面に弾性的に圧接する仮止片を突設した、請求項１記載の軸回転サッシの障子框体の閉止具。
【請求項３】
閉止枠の組付片に舌状部片を設け、該舌状部片に締付ねじを螺合した、請求項１又は２記載の軸回転サッシの障子框体の閉止具。
【請求項４】
舌状部片の、一方の挟持片との重合面側に係止爪を設け、係止片を戸当り片に係止したとき、該係止爪が嵌合する透孔を前記一方の挟持片に設けた、請求項３記載の軸回転サッシの障子框体の閉止具。
【発明の詳細な説明】
【０００１】
【産業上の利用分野】
本発明は、軸回転サッシの障子框体の閉止具に関するものである。すなわち、内倒しサッシや外倒しサッシ或いは突き出しサッシは、現場への運搬中やそれに続く施工中に、サッシ枠に回転自在に組付けた障子框体が回転して所謂開放状態となって取扱いに支障をきたす場合があるが、本発明は、斯様な支障の発生を防止するために外倒しサッシ等の軸回転サッシに備えた戸当り片を利用して障子框体の当該開放状態への動きを規制する閉止（開き止め）具に関するものである。
【０００２】
【従来の技術】
特開２００２−３８８０４号公報に所載の通り、障子框体（障子）とサッシ枠との間に介在させて用いるブロック状の閉止具がある。
【０００３】
この従来例は、サッシ枠側の戸当り片を嵌入させる第一凹溝と障子框体側に設けた突片を嵌入させる第二凹溝を設け、当該開き止め具を戸当り片方向に押圧して第一凹溝に戸当り片を嵌入させた後、障子框体を回転させて開き止め具に接触させ、次いで、第一凹溝から戸当り片が離脱する方向に開き止め具を移動させて第二凹溝に障子框体側の突片を嵌入させて障子（障子框体）の開き止めを期待する構造になっている。
【０００４】
【発明が解決しようとする課題】
前記従来例はブロック体に凹溝を設け、これにサッシ枠側および障子（障子框体）側をいわば密嵌して（接触抵抗を期待して）該閉止具を用いた障子の開き止め状態を維持するものであるため、振動その他の外力の負荷によって該開き止め状態の維持がむずかしい場合があり、また、接触抵抗を利用するものであるから必然的に摩耗し、再使用（利用）がむずかしい。
【０００５】
本発明は斯様な従来例の欠点に着目し、軸回転サッシの障子框体の開きを確実に防止することのできる閉止具を提供すべく創案したものである。
【０００６】
【課題を解決するための手段】
サッシ枠に開閉方向に回転自在に組付けた障子框体の構成框を、仲介片の両端に相対設した挟持片間に係合して該構成框に組付ける主体枠と、前記サッシ枠の構成枠に設けた戸当り片に前記障子框体の開放方向に引っ掛ける係止片を一端に設けた組付片の他の一端に前記係止片と相対する操作片を設けた閉止枠とで成り、前記組付片を前記一方の挟持片の外側面に、前記係止片が前記戸当り片の先端を係離する方向に摺嵌して前記主体枠と前記閉止枠を互いに組付けると共に、前記組付片には前記係止片を前記戸当り片に引っ掛けたとき、前記一方の挟持片に螺合する締付ねじを螺合したことを基本的手段とする。また、これに主体枠の一方の挟持片の外側面に、サッシ枠の構成枠に設けた戸当り片の内端面に弾性的に圧接する仮止片を突設した構成を付加することにより係止片を戸当り片に係止させるための閉止枠を摺動操作を円滑に行うことができ、さらに、閉止枠の組付片に舌状部片を設け、該舌状部片に締付ねじを螺合した点を付加することにより舌状部片がいわばスプリングワッシャーの作用をして一方の挟持片と組付片との締付ねじによる締付け状態の緩みを防いで、障子框体の閉止状態を確実に維持することができ、また、舌状部片の、一方の挟持片との重合面側に係止爪を設け、係止片を戸当り片に係止したとき、該係止爪が嵌合する透孔を前記一方の挟持片に設けた構成を付加することにより締付ねじの締付操作を円滑に行って障子框体の閉止状態を用意に得ることができる。
【０００７】
【発明の実施の形態】
図面は本発明に係る軸回転サッシの障子框体の閉止具の一実施形態を示し、図１は使用状態を示す断面図、図２は斜視図、図３は主体枠の一部欠截斜視図、図４は閉止枠の一部欠截斜視図、図５は配置関係を示す略示正面図である。
【０００８】
実施形態の閉止具（開き止め具）Ａは軸回転サッシの障子框体１側に組付ける主体枠２と、サッシ枠３側に組付ける閉止枠４を互いに組合わせて構成するもので、主体枠２および閉止枠４は合成樹脂で構成してその弾性を利用できるようにしてある。
【０００９】
なお、実施形態の軸回転サッシは、サッシ枠３の下部側において前記障子框体１を回転自在に組付けた外倒しサッシを示すが、障子框体が軸回転するものであれば内倒しサッシ、突き出しサッシに対しても本発明を適用することができる。
【００１０】
また、実施形態の場合は、閉止具Ａの主体枠を障子框体１の上框に、閉止枠４をサッシ枠３の上枠にそれぞれ組付けるようにしているが、該上框や該上枠に限らず、他の框（例えば、縦框）や他の枠（例えば、縦枠）に組付けるようにしても良く、実施形態は上框（他の框に適用しても良いという意味で構成框１ａと称す）と上枠（他の枠に適用しても良いという意味で構成枠３ａと称す）を適用しているので、説明の都合上、各部の位置関係は外倒しサッシとしての該上框乃至上枠を基準にすることとする。
【００１１】
因みに、軸回転サッシは、ガラスパネルの組付けを省略した障子框体とサッシ枠を単に組付けた状態で工場から出荷し、現場へと搬送するのが一般で、本件において障子と指称しないで障子框体とするのは斯様な意味合いのためであるが、ガラスパネルを組込んだ障子框体との関係でも本発明が適用できることは勿論である。
【００１２】
前記主体枠２は、サッシ枠３の前記構成枠３ａと障子框体１の前記構成框１ａ間に介在させる、段状の仲介片５の両端に相対する配置関係にして屋内外の挟持片６，７を連設し、該挟持片６，７間に前記構成框１ａ（実施形態では前記の通り、上框）を係合するようにして該構成框１ａに組付けて用いるもので、仲介片５を段状形にしたのは、構成框１ａの外側面と適合するためで、仲介片の断面形は構成框の外側面に合わせて決めれば良い。
【００１３】
図中、５ａは仲介片５の補強部片で、該補強部片５ａによって仲介片５の弾性変形を規制し、挟持片６，７の弾性変形を容易に行わせる。
【００１４】
実施形態の場合は、挟持片６，７の弾性を利用してこれらを構成框１ａに圧接して前記係合状態を維持し、主体枠２すなわち開止具Ａの構成框１ａとの位置関係を所定通りに保持できるようにしているが、実施形態のように閉止枠４側のサッシ構成枠３ａとの組付け関係によって定位置を確保できれば、主体枠２は構成框１ａとの関係にあって移動可能な係合状態にあっても必ずしも不都合はない。
【００１５】
主体枠２の一方の挟持片である屋内側挟持片６は、平板状の主体部６Ａの自由端を折れ曲げ形状にして該主体部６Ａに直交する方向にして（屋内方向に突設して）指当片８を連設し、この指当片８に平行するようにして、前記主体部６Ａの長手方向の中間部両側には仮止め片９，９を屋内方向に突設し、該仮止め片９，９間の前記主体部６Ａの基部（仲介片５との連設部）から先端にかけて該主体部６Ａの板厚を部分的に薄くして主体部６Ａの前記基部側を開口端とする係合溝１０を設け、この係合溝１０に前記閉止枠４の組付片１１を摺嵌して、閉止枠４を主体枠２に組付けるようにして閉止具Ａを構成する。
【００１６】
なお、仮止片９の先端上面には、図３で示す通りテーパａを設けて構成枠３ａの戸当り片１９先端１９ａ内側に圧入（装入）し易くしてある。
【００１７】
前記係合溝１０の底壁を構成する板厚の薄い前記主体部６Ａ部分には締付ねじ１２の螺合孔１３と該螺合孔１３より下側にして上下一対の透孔１４，１４´を設けてある。
【００１８】
また、係合溝１０に組付片１１を上下方向に摺嵌して主体枠２に組付けた前記閉止枠４は、前記組付片１１の上端にＬ型の係止片１５を、下端側に操作片１６を配して相対して連設して（屋内方向に突設して）構成したもので、組付片１１に正面視ほぼＵ字形（溝形）の切込みを入れてその中央に下端側を自由端とする舌状片１７を設け、該舌状片１７の下端に前記操作片１６を設けると共に、上下方向の中間部に前記締付ねじ１２を螺合して組付け、操作片１６を設けた下端側背面には、前記透孔１４，１４´を嵌脱する係止爪１８を設けてある。
【００１９】
しかして、ねじ孔２０に螺合して締付ねじ１２を組付けた閉止枠４を、主体枠２の屋内側挟持片６の屋内側面に設けた係合溝１０に組付片１１を摺嵌して、前記主体枠２に組付けて閉止具Ａと成し、開放状態位置にある障子框体１の自由端側框である構成框１ａ（上框）に、該閉止具Ａの主体枠２の屋内外の挟持片６，７間に構成框１ａを係合するようにして前記主体枠２を組付け、構成框１ａに対する主体枠２の、この組付け状態は、挟持片６，７の弾性的接触により保持される。
【００２０】
閉止具Ａを主体枠２部において障子框体１に組付けた状態で回転軸部２１を中心にして障子框体１を閉塞方向に回転させると、障子框体１の屋内側に配置した閉止枠４の係止片１５の屋内端は構成枠３ａに設けた戸当り片１９に当接する一方、主体枠２に設けた仮止片９は戸当り片１９の先端（内端）に圧接して戸当り片１９内側に装入されて障子框体１はサッシ枠３内にほぼ障子閉塞状態にして収まることになる。この収まり状態は、仮止片９の戸当り片先端１９ａとの圧接（弾性変形による）によって維持され、次段の閉止枠４の摺動（移動）操作の一助となる。
【００２１】
次いで、閉止枠４の操作片１６を押下させると（このとき、一つの指先を指当片８に当て、他の一つの指先で操作片１６を押圧する、すなわち、他の一つの指先を一つの指先に近づけるようにすると、該押下操作を円滑に行うことができる）、上側の透孔１４に嵌合していた係止爪１８は該透孔１４より離脱して該係止爪１８に摺嵌させた組付片１１は係合溝１０に案内されて降下し、前記係止爪１８は下側の透孔１４´に嵌合する一方、組付片１１に伴って降下した係止片１５の先端部１５ａは戸当り片１９の先端１９ａ部に設けた受溝２２に係合して戸当り片先端１９ａに引っ掛って障子框体１の開放方向への回転を規制した状態である閉止状態を得られる。
【００２２】
この閉止状態は、先端がねじ孔２０内に納めた状態にあった締付ねじ１２を、閉止枠４（組付片１１）の降下により該締付ねじ１２（ねじ孔２０）が移動して一致する螺合孔１３に螺入させて、組付片１１すなわち舌状片１７と主体枠２の屋内側挟持片６を互いに締付けることにより維持される。そして、締付ねじ１２の頭部には舌状片１７の弾性が作用するので、その緩みは可及的に防止される。
【００２３】
【発明の効果】
本発明は前記の通りの構成であるから、障子框体の構成框側に主体枠を組付けた状態で障子框体を障子閉塞時状態位置に回転移動させて、主体枠に組付けた閉止枠を移動させることにより当該障子框体の閉塞状態を得、締付ねじの締付けにより閉止状態を確実に維持することができ、軸回転サッシの運搬、取扱いに好適な閉止具を提供することができる。
【図面の簡単な説明】
【図１】使用状態を示す断面図。
【図２】斜視図。
【図３】主体枠の一部欠截斜視図。
【図４】閉止枠の一部欠截斜視図。
【図５】配置関係を示す略示正面図。
【符号の説明】
１　　　障子框体
１ａ　　構成框
２　　　主体枠
３　　　サッシ枠
３ａ　　構成枠
４　　　閉止枠
５　　　仲介片
６　　　屋内側挟持片
７　　　屋外側挟持片
１１　　組付片
１２　　締付ねじ
１５　　係止片
１６　　操作片
１９　　戸当り片
１９ａ　戸当り片の先端
【図１】
2004011242.tif 000003
【図２】
2004011242.tif 000004
【図３】
2004011242.tif 000005
【図４】
2004011242.tif 000006
【図５】
2004011242.tif 000007